(57)【要約】【課題】  コードレス電話機の子機において、省電力化を実現する。【解決手段】  正面にＬＣＤパネル３０３を設け、後面にＬＥＤ３０７を設ける。親機２００の所定の位置に置かれたとき、親機２００の充電出力接点２０９、２０９に接触する充電入力接点３０９、３０９と、充電入力接点３０９、３０９に得られる直流電圧ＶDCを充電式電池３１７に充電する充電回路３１６とを設ける。親機２００の所定の位置に置かれたとき、正面が表向きであるか後面が表向きであるかを検出する検出手段３１８とを設ける。検出手段３１８の検出出力にしたがって、ＬＣＤパネル３０３およびＬＥＤ３０７の素子のうち、表向きである面に設けられた素子を動作させて親機２００から送られてきた情報を表示する。【選択図】  図１
2009088853.tif 000002
【特許請求の範囲】
【請求項１】
親機と、
この親機と電波を通じて接続される子機と
を有し、
上記親機は、充電用の直流電圧を出力する１対の充電出力接点を有し、
上記子機は、
その正面に設けられた第１のディスプレイと、
その後面に設けられた第２のディスプレイと、
自身の各部にその動作電圧を供給する充電式電池と、
上記親機の所定の位置に置かれたとき、上記１対の充電出力接点に接触する１対の充電入力接点と、
この１対の充電入力接点に得られる直流電圧を上記充電式電池に充電する充電回路と、
上記親機の上記所定の位置に置かれたとき、上記正面が表向きであるか上記後面が表向きであるかを検出する検出手段と
を有し、
上記検出手段の検出出力にしたがって、上記第１および第２のディスプレイのうち、表向きである面に設けられたディスプレイを動作させて上記親機から送られてきた情報を表示する
ようにしたコードレス電話機。
【請求項２】
正面に設けられた第１のディスプレイと、
後面に設けられた第２のディスプレイと、
自身の各部にその動作電圧を供給する充電式電池と、
親機の所定の位置に置かれたとき、上記親機の１対の充電出力接点に接触する１対の充電入力接点と、
この１対の充電入力接点に得られる直流電圧を上記充電式電池に充電する充電回路と、
上記親機の上記所定の位置に置かれたとき、上記正面が表向きであるか上記後面が表向きであるかを検出する検出手段と
を有し、
上記検出手段の検出出力にしたがって、上記第１および第２のディスプレイのうち、上向きである面に設けられたディスプレイを動作させて上記親機から送られてきた情報を表示する
ようにしたコードレス電話機の子機。
【請求項３】
請求項２に記載の子機において、
上記１対の充電入力接点に得られる直流電圧の極性を整えてから上記充電回路に供給する両波整流回路を
有するコードレス電話機の子機。
【請求項４】
請求項３に記載の子機において、
上記第１のディスプレイはＬＣＤパネルであり、
上記第２のディスプレイはＬＥＤである
ようにしたコードレス電話機の子機。
【発明の詳細な説明】
【技術分野】
【０００１】
この発明は、コードレス電話機およびその子機に関する。
【背景技術】
【０００２】
オフィスなどの小規模な事業所に適した電話システムとして、例えば図２に示すようなものがある。すなわち、図２において、符号１００は複数の電話機のそれぞれを示し、これら電話機１００は、主装置４００に接続されているとともに、この主装置４００には、複数の回線４０１〜４０Ｎが接続されている。なお、回線４０１〜４０Ｎは、一般のアナログ電話回線、デジタル電話回線あるいはＩＰ（Internet Protocol）電話回線などが混在していてもよい。
【０００３】
さらに、電話機１００はコードレス電話機に構成されている。これは、電話機１００の本体を親機に構成するとともに、送受話器を子機に構成し、両者の間を電波により接続するものである。図３および図４は、コードレス化された電話機１００の一例を示し、図３はその平面図、図４はその側面図である。また、符号２００は親機、符号３００は子機を示す。なお、１台の親機２００に対して複数の子機３００が対応していてもよい。
【０００４】
そして、親機２００の上面には、受け台部２０１が設けられ、図３および図４に示すように、待機時には、受け台部２０１に子機３００が置かれ、発信や着信などのときには、子機３００は受け台部２０１から取り上げられて使用される。また、親機２００の上面には、発信先や着信先の名称・電話番号などを表示するＬＣＤ（Liquid Crystal Display）パネル２０３、ダイヤルボタン２０４および各種の操作キー２０５が設けられ、側面には子機３００との通信用の送受信アンテナ２０６が設けられている。
【０００５】
また、図３および図４においては、子機３００は受け台部２０１に置かれている状態であるが、この子機３００は例えば図５に示すように構成されている。すなわち、図５Ａは子機３００の正面図、図５Ｂはその後面図を示すもので、この例においては、子機３００は全体として偏平で縦長の直方体状に構成され、子機３００を親機２００の受け台部２０１に置くとき、図３に示すように裏向き（後面を上向き）に置くこともでき、表向き（正面を上向き）に置くこともできようにされている。
【０００６】
そして、図５Ａに示すように、子機３００の正面（表面）には、受話器３０１、送話器３０２、発信先や着信先の名称・電話番号などを表示するディスプレイとしてＬＣＤパネル３０３、ダイヤルボタン３０４および各種の操作キー３０５が設けられ、上部には親機２００との通信用の送受信アンテナ３０６が設けられている。
【０００７】
また、図５Ｂに示すように、子機３００の後面（裏面）には、着信や充電中などを表示するディスプレイとしてＬＥＤ（Light Emitting Diode）３０７が設けられるとともに、各種の呼び出し音を出力するスピーカ３０８が設けられている。
【０００８】
さらに、子機３００は電源として充電式電池（図示せず）を内蔵しているとともに、この充電式電池は親機２００により充電されるものである。このため、子機３００の底面には、図２〜図５に示すように、充電用の１対の充電入力接点３０９、３０９が設けられるとともに、親機２００には、子機３００を親機２００の受け台部２０１に置いたとき、入力接点３０９、３０９が接触する位置に、充電用の１対の充電出力接点２０９、２０９が設けられている。
【０００９】
この場合、子機３００を受け台部２０１に置くとき、子機３００を図３に示すように裏向きに置いても、表向きに置いても、子機３００の入力接点３０９、３０９が親機２００の出力接点２０９、２０９に接触するように、接点２０９、２０９、３０９、３０９が配置されている。
【００１０】
そして、回線４０１〜４０Ｎ、親機２００および子機３００の状態は、すべて主装置４００が把握して管理し、主装置４００の処理および制御により、電話機１００のそれぞれが回線４０１〜４０Ｎに選択的に接続され、着信および発信、あるいは電話機１００のそれぞれの間での内線通話や転送などが実現される。
【００１１】
したがって、子機３００を一般の電話機の送受話器と同様に使用できるとともに、このとき、一般の電話機のように電話機本体と送受話器とを接続するカールコードがじゃまになることがなく、使い勝手が向上する。また、子機３００を親機２００から離して通話をすることもできるとともに、１台の親機２００に対して複数の子機３００を対応させることもできるので、事務所などでは、より便利に使用することができる。
【００１２】
さらに、例えば図６に示すようなシーケンスで、ＬＣＤパネル３０３やＬＥＤ３０７の表示が行われ、充電中や着信などが表示される。
【００１３】
なお、先行技術文献として例えば以下のものがある。
【特許文献１】特開平６−６２０９７号公報
【発明の開示】
【発明が解決しようとする課題】
【００１４】
ところで、図２に示すような電話システムにおいては、主装置４００に商用交流電圧を供給し、主装置４００から通話用のケーブル４１０を通じて親機２００にその動作電圧を供給するとともに、親機２００から子機３００に充電用の電圧を供給している。つまり、そのようにすると、親機２００に電源用のＡＣ（Alternating Current）アダプタを接続する必要がなくなるので、電話機１００の設置場所の制限が少なくなり、また、電話機１００と主装置４００との間のケーブル４１０の引き回しなども容易になる。
【００１５】
ところが、この場合、主装置４００には複数の電話機１００が接続されるので、これら電話機１００の子機３００の消費電力が大きいと、主装置４００の電源の負担が大きくなってしまう。また、主装置４００と親機２００との間のケーブル４１０における電力ロスも考慮する必要もある。さらに、子機３００の消費電力が大きいと、子機３００の通話可能時間が短くなってしまう。
【００１６】
この発明は、以上のような問題点を解決しようとするものである。
【課題を解決するための手段】
【００１７】
この発明においては、
親機と、
この親機と電波を通じて接続される子機と
を有し、
上記親機は、充電用の直流電圧を出力する１対の充電出力接点を有し、
上記子機は、
その正面に設けられた第１のディスプレイと、
その後面に設けられた第２のディスプレイと、
自身の各部にその動作電圧を供給する充電式電池と、
上記親機の所定の位置に置かれたとき、上記１対の充電出力接点に接触する１対の充電入力接点と、
この１対の充電入力接点に得られる直流電圧を上記充電式電池に充電する充電回路と、
上記親機の上記所定の位置に置かれたとき、上記正面が表向きであるか上記後面が表向きであるかを検出する検出手段と
を有し、
上記検出手段の検出出力にしたがって、上記第１および第２のディスプレイのうち、表向きである面に設けられたディスプレイを動作させて上記親機から送られてきた情報を表示する
ようにしたコードレス電話機
とするものである。
【発明の効果】
【００１８】
この発明によれば、子機の正面（表面）および後面（裏面）にそれぞれディスプレイを有しているが、それらのディスプレイを子機３００の置き方に対応して表示を制御しているので、子機の消費電流を低減することができ、いわゆる省エネを実現できる。
【００１９】
また、主装置に親機および子機が多数接続されている場合でも、主装置の電源の負担を低減することができるとともに、主装置と親機との間のケーブルにおける電力ロスを低減することができる。
【発明を実施するための最良の形態】
【００２０】
〔１〕  電話システム全体と、親機および子機の構成例
図１は、この発明の一形態を示し、電話機１００の親機２００および子機３００が図２〜図５において説明したようにコードレス形式に構成されているとともに、親機２００が主装置４００に接続されている。そして、電話機１００および主装置４００の関係も上述のとおりであり、例えば、子機３００は、親機２００および主装置４００を通じて回線４０１〜４０Ｎのいずれかに接続される。
【００２１】
そして、親機２００は、無線通信回路２１１と、マイクロコンピュータにより構成されたシステム制御回路２１２と、電源回路２１３とを有する。この場合、無線通信回路２１１は、親機２００を通じて子機３００と主装置４００とを接続し、発信や着信を可能とするためのものである。このため、無線通信回路２１１は、図示はしないが、音声回路と、送受信回路とを有し、主装置４００に接続されるとともに、アンテナ２０６が接続され、制御回路２１２により制御される。また、制御回路２１２には、ＬＣＤパネル２０３、ダイヤルボタン２０４、各種の操作キー２０５および各種の呼び出し音を出力するスピーカ２０８が接続される。
【００２２】
さらに、電源回路２１３は、主装置４００からケーブル４１０を通じて直流電圧が供給されて親機２００の各部に必要な直流電圧が形成され、この直流電圧が親機２００の各部にその動作電圧として供給される。また、電源回路２１３からは、充電用の直流電圧ＶDCが取り出され、この電圧ＶDCが接点２０９、２０９に出力される。
【００２３】
一方、子機３００は、無線通信回路３１１と、マイクロコンピュータにより構成されたシステム制御回路３１２とを有する。この場合、無線通信回路３１１は、親機２００を通じて主装置４００に接続され、子機３００の発信や着信を可能とするためのものである。このため、無線通信回路３１１は、図示はしないが、音声回路と、送受信回路とを有し、受話器３０１および送話器３０２が接続されるとともに、アンテナ３０６が接続され、制御回路３１２により制御される。
【００２４】
また、制御回路３１２には、発信先や着信先の名称・電話番号などを表示するＬＣＤパネル３０３、ダイヤルボタン３０４および各種の操作キー３０５、着信や充電中などを表示するＬＥＤ３０７、各種の呼び出し音を出力するスピーカ３０８が接続されるとともに、親機２００との通信用のアンテナ３０６が接続されている。
【００２５】
なお、図示はしないが、ＬＣＤパネル２０３、３０３は、バックライトを有するとともに、制御回路２１２、３１２によりそれぞれドライブされるものである。
【００２６】
したがって、発信時および着信時には、送話器３０２からの音声信号が無線通信回路３１１により送信信号とされ、この送信信号がアンテナ３０６を通じて親機２００へと送信される。そして、親機２００においては、子機３００からの送信信号がアンテナ２０６により受信され、その受信信号が無線通信回路２１１に供給されて音声信号が取り出され、この音声信号が主装置４００を通じ、さらに、電話回線４０１〜４０Ｎのいずれかを通じて相手の電話機へと送出される。
【００２７】
また、相手の電話機からの音声信号が、主装置４００から無線通信回路２１１に供給されて送信信号とされ、この送信信号がアンテナ２０６を通じて子機３００へと送信される。そして、子機３００においては、親機２００からの送信信号がアンテナ３０６により受信され、その受信信号が無線通信回路３１１に供給されて音声信号が取り出され、この音声信号が受話器３０１に供給される。したがって、子機３００を使用して相手との通話ができることになる。
【００２８】
さらに、子機３００を親機２００の受け台部２０１に置いたときには、親機２００の接点２０９、２０９が子機３００の接点３０９、３０９に接触するので、接点３０９、３０９には、親機２００からの充電用の直流電圧ＶDCが得られる。ただし、この場合、子機３００を図３に示すように裏向きに置いたときと、表向きに置いたときとでは、接点３０９、３０９に得られる直流電圧ＶDCの極性が反転する。
【００２９】
そこで、接点３０９、３０９に得られる直流電圧ＶDCが、例えばダイオードブリッジにより構成された両波整流回路３１５に供給され、この両波整流回路３１５からは子機３００の置き方にかかわらず同じ極性に整えられた直流電圧ＶDCが取り出される。そして、この直流電圧ＶDCが充電回路３１６に供給されて充電電圧ＶCGが形成され、この充電電圧ＶCGが、子機３００の電源用の充電式電池３１７に供給され、その充電が行われる。なお、充電式電池３１７の出力電圧は子機３００の各部にその動作電圧として供給される。
【００３０】
さらに、充電回路３１６において、これに直流電圧ＶDCが供給されているか否かを検出することにより、子機３００が親機２００の受け台部２０１に置かれているか否かが検出され、その検出信号ＳDCが制御回路３１２に供給される。
【００３１】
また、接点３０９、３０９に供給された直流電圧ＶDCが極性検出回路３１８に供給され、接点３０９、３０９における直流電圧ＶDCの極性を検出することにより、子機３００が親機２００の受け台部２０１に置かれたとき、図３に示すように裏向きに置かれたのか、表向きに置かれたのかが検出され、例えば裏向きに置かれたときに“１”となり、表向きに置かれたときに“０”となる検出信号ＳUDが取り出され、この検出信号ＳUDが制御回路３１２に供給される。
【００３２】
〔２〕 動作
上述のような構成において、親機２００に子機３００を置くと、接点３０９、３０９に接点２０９、２０９が接触し、充電回路３１６に直流電圧ＶDCが供給されるので、充電式電池３１７は電圧ＶCGにより充電される。また、このとき、その充電電流の大きさが充電回路３１６により検出され、制御回路３１２に通知されている。そして、満充電になって例えば充電電流が小さくなると、制御回路３１６により充電回路３１６が制御され、充電電圧ＶCGはオフとされ、充電は終了とされる。
【００３３】
また、親機２００に子機３００が置かれている場合には、充電回路３１６に直流電圧ＶDCが供給されるので、制御回路３１２は、検出信号ＳDCにより子機３００が親機２００に置かれているか否かを知ることができる。
【００３４】
そして、親機２００には、主装置４００から回線４０１〜４０Ｎの使用状況などの情報が通知されているとともに、そのうち、ユーザにとって必要な情報がＬＣＤ２０３に表示されている。例えば回線４０１が使用中であれば、これが主装置４００から親機２００に通知されてＬＣＤパネル２０３に表示され、回線４０１を使用できないことがユーザに知らされている。さらに、ＬＣＤ２０３には、親機２００の状態、例えば待機中であれば、発信可能であることなどが制御回路２１２により表示されている。
【００３５】
さらに、これらの情報が、親機２００の制御回路２１から、通信回路２１１および通信回路３１１を通じて制御回路３１２に通知されている。この結果、親機２００に子機３００が置かれている場合、子機３００におけるＬＣＤパネル３０３およびＬＥＤ３０７の表示が、制御回路３１２により以下のように制御される。
【００３６】
〔２−１〕  子機３００が裏向きに置かれているとき
子機３００が親機２００の受け台部２０１に置かれているが、図３に示すように裏向きに置かれている場合には、これが検出回路３１８により検出され、その検出信号ＳUD（ＳUD＝“１”）により裏向きに置かれていることが制御回路３１２に通知されている。
【００３７】
すると、この場合には、充電中であれば、ＬＥＤ３０７が連続点灯して、子機３００が充電中であるとともに、待機状態であることがユーザに知らされる。ただし、この場合には、ＬＣＤパネル３０３のドライブが停止されるとともに、そのバックライトは消灯され、ＬＣＤパネル３０３の表示はオフとされている。
【００３８】
そして、着信があると、これが親機２００を通じて子機３００に通知されるが、この着信の通知を受けると、制御回路３１２によりＬＥＤ３０７が点滅表示とされるとともに、スピーカ３０８からリンガ音が出力され、着信のあったことがユーザに知らされる。
【００３９】
そして、親機２００から子機３００を取り上げてオフフックのキー操作をすると、親機２００と子機３００とが接続されるとともに、親機３００が主装置４００を通じて着信のあった回線に接続される。したがって、以後、着信の相手との通話が可能とされる。
【００４０】
〔２−２〕  子機３００が表向きに置かれているとき
子機３００が親機２００の受け台部２０１に置かれているが、表向きに置かれている場合には、これが検出回路３１８により検出され、その検出信号ＳUD（ＳUD＝“０”）により表向きに置かれていることが制御回路３１２に通知されている。
【００４１】
すると、この場合には、ＬＣＤパネル３０３が制御回路３１２によりドライブされるとともに、そのバックライトが点灯され、親機２００から送られてきている情報、すなわち、親機２００のＬＣＤパネル２０３に表示されている情報がＬＣＤパネル３０３に表示されている。また、充電中であれば、これもＬＣＤパネル３０３表示されている。ただし、この場合には、ＬＥＤ３０７は消灯されている。
【００４２】
そして、着信があると、これが親機２００を通じて子機３００に通知されるが、この着信の通知を受けると、制御回路３１２によりＬＣＤパネル３０３のバックライトが点灯されるされるとともに、スピーカ３０８からリンガ音が出力され、着信のあったことがユーザに知らされる。
【００４３】
そして、親機２００から子機３００を取り上げてオフフックのキー操作をすると、親機２００と子機３００とが接続されるとともに、親機３００が主装置４００を通じて着信のあった回線に接続される。したがって、以後、着信の相手との通話が可能とされる。
【００４４】
〔３〕  まとめ
上述の子機３００によれば、表示用に、ＬＣＤパネル３０３およびＬＥＤ３０７を有しているが、図３に示すように子機３００を裏向きに親機２００に置いた場合には、ＬＥＤ３０７だけが点灯し、表向きに置いた場合にはＬＣＤパネル３０３だけが表示を行うので、消費電流を低減することができ、いわゆる省エネを実現できる。
【００４５】
また、主装置４００に親機２００および子機３００が多数接続されている場合でも、主装置４００の電源の負担を低減することができるとともに、主装置４００と親機２００との間のケーブル４１０における電力ロスを低減することができる。さらに、子機３００の消費電力が小さくなるので、子機３００の通話可能時間や待機可能時間が長くなる。
【００４６】
〔４〕  その他
上述においては、子機３００を親機２００に置いた場合であるが、１台の親機２００に複数の子機３００が対応しているときのように、子機３００を充電台に置いた場合にも、同様に子機３００の向きを検出してＬＣＤパネル３０３およびＬＥＤ３０７の表示形態を切り換え制御することができる。
【００４７】
また、上述においては、接点３０９、３０９に供給される直流電圧ＶDCの極性により、子機３００が親機２００に置かれた場合の向きを検出したが、例えば、子機３００にノンロックタイプのスイッチを設けるとともに、そのアクチュエータを子機３００の後面の外部に突出させておき、そのアクチュエータが押されているか否かから子機３００の向きを検出することもできる。あるいは、子機３００の内部に、子機３００の向きにより偏位する重りと、この重りの偏位によりオンオフされるスイッチ素子とを設け、そのスイッチ出力から子機３００の向きを検出することもできる。
【００４８】
さらに、例えば、子機３００のうち、親機２００に内蔵されているスピーカや磁石に対向する位置にホール素子のような磁界検出素子を設け、これにより子機３００を親機２００に裏向きに置いたときと、表向きに置いたときとの磁界の差から子機３００の向きを検出することもできる。また、上述においては、充電式電池３１７の充電を子機３００の充電回路３１６により検出したが、親機２００に充電検出回路を設けて検出することもできる。
【図面の簡単な説明】
【００４９】
【図１】この発明の一形態を示す系統図である。
【図２】この発明を適用できる電話システムの一例を示す図である。
【図３】この発明を適用できる電話機の一例を示す平面図である。
【図４】この発明を適用できる電話機の一例を示す側面図である。
【図５】この発明を適用できる子機の一例を示す平面図および後面図である。
【図６】子機の表示シーケンスの一例を示す図である。
【符号の説明】
【００５０】
１００…電話機、２００…親機、２０１…受け台部、２０３…ＬＣＤパネル、２０６…送受信アンテナ、２０９…充電出力接点、２１１…無線通信回路、２１２…システム制御回路、２１３…電源回路、３００…子機、３０１…受話器、３０２…送話器、３０３…ＬＣＤパネル、３０６…送受信アンテナ、３０９…充電入力接点、３１１…無線通信回路、３１２…システム制御回路、３１５…両波整流回路、３１６…充電回路、３１７…充電式電池、３１８…極性検出回路、４００…主装置、４０１〜４０Ｎ…回線
【図１】
2009088853.tif 000003
【図２】
2009088853.tif 000004
【図３】
2009088853.tif 000005
【図４】
2009088853.tif 000006
【図５】
2009088853.tif 000007
【図６】
2009088853.tif 000008